(57)【特許請求の範囲】
【請求項１】
環状に構成してなる枠体を天井材の取付け孔に支持し、同枠体に照明器具を収納し支持する埋込型照明装置において、
前記枠体の上端から突出して複数箇所に支持体を形成し、また同支持体の対応箇所に、枠体より先端が外側に位置して板バネを配置し、
さらに、板バネに対応して枠体に、板バネを押圧する押圧片と支持体に掛合する掛合片を有する操作体を設け、同掛合片を支持体に掛合することにより、押圧片で板バネを押圧するように構成したことを特徴とする埋込型照明装置。
【請求項２】
前記した板バネの中央部に挿通孔を形成し、同挿通孔に押圧片に設けた中央凸部が係合するように構成したことを特徴とする請求項１記載の埋込型照明装置。
【発明の詳細な説明】
【０００１】
【発明の属する技術分野】
本発明は埋込形照明装置の改良に関する。
【０００２】
【従来の技術】
従来の埋込形照明装置は、例えば図７に示すように、反射体を兼ねた照明器具本体１の下端枠体２の外壁の複数箇所に板バネ３を取付け、同板バネ３の弾性により照明器具を天井材４の取付穴に掛合支持して構成してある。
【０００３】
【発明が解決しようとする課題】
しかし図７に示す従来の埋込形照明装置によると、照明器具本体１の外壁の板バネ３により照明器具を照明器具取付穴に掛合支持するので、例えば重量の大きいものあるいは大きな振動等により、天井面と照明器具本体の下端の枠体部分との間に隙間が生じる欠点がある。さらに店舗の改装等に際して、天井面に支持してなる枠体を簡単に取り外すことができない欠点がある。
【０００４】
本発明は上記の諸点に鑑み発明したものであって、枠体と照明器具を天井面に簡単且つ確実に取付けることができ、また重量が大きく照明器具あるいは大きな振動等があっても、天井面と照明器具本体との間に隙間が生じることがない埋込形照明装置を提供することを目的とする。
【０００５】
【課題を解決するための手段】
本発明は上記した課題を解決するために次の構成とする。請求項１記載の発明は、環状に構成してなる枠体を天井材の取付け孔に支持し、同枠体に照明器具を収納し支持する埋込型照明装置に関する。
また枠体の上端から突出して複数箇所に支持体を形成してある。また同支持体の対応箇所に、枠体より先端が外側に位置して板バネを配置し、さらに、板バネに対応して枠体に、板バネを押圧する押圧片と支持体に掛合する掛合片を有する操作体を設け、同掛合片を支持体に掛合することにより、押圧片で板バネを押圧するように構成してある。
【０００６】
請求項１に記載の埋込形照明装置によると、枠体と照明器具が確実に支持され、重量の大きい照明器具あるいは地震等によって大きな振動が生じたとしても、天井面と照明器具本体の下端の枠体部分との間に隙間が生じることがない。
さらに店舗の改装等に際して、天井面から枠体を簡単に取り外すことができる。
【０００７】
請求項２に記載の発明は、請求項１に記載の板バネの中央部に挿通孔を形成し、同挿通孔に押圧片に設けた中央凸部が係合するように構成してある。
【０００８】
請求項２に記載の発明によると、押圧片の押圧力が増大し、枠体に照明器具を簡単且つ確実に支持することができる。
【０００９】
【発明の実施の形態】
以下本発明を図１乃至図６について説明する。図１は本発明に係る埋込形照明装置の側面図である。図１において、１１は環状に構成してなる枠体であって、後述する照明器具を嵌着する。１２は例えば建物の天井材であり、その一部に取付孔１２ａを形成してある。
１３は枠体１１の立上部１４から上方に突出して形成した支持体であって、例えば環状の枠体の２箇所に相対向して設けてある。また同枠体は例えば合成樹脂で形成してある。なお環状の枠体は、開口部が円形状の他、角形形状に形成してもよい。
【００１０】
２０は枠体１１の支持体１３の対応箇所に形成した掛合孔２１に掛合支持してなる板バネであって、枠体より先端が外側に位置して構成してある。
２２は支持体１３の対応箇所に支持してなる弾性を有する線状の操作体であって、板バネを押圧する押圧片２３と支持体１３に掛合する掛合片２４を有して構成してある。
また同操作体２２は掛合片２４を支持体１３に掛合することにより、押圧片２３が板バネ２０を押圧し、同板バネ２０が照明器具の被取付部１２の上面に押圧支持される。なお、板バネ２０の中央部には挿通孔２０ａを形成し、押圧片２３の中央凸部２３ａが係合することにより、押圧力を大きくしている。
【００１１】
３０は枠体１１に嵌着支持する埋込型の照明器具であって、照明器具本体３１は例えば筒状に構成してある。３２は器具本体３１の内部に固定してなるソケット、３３はソケットに装着してな光源であって、例えば１５０ワットのメタルハライドランプを用いて構成してある。３４は器具本体に支持してなる反射鏡である。
また同反射鏡３４は開口部に樹脂で構成し若干弾性を有する支持枠３５を取付け、同支持枠３５に形成した掛合凸部３５ａが枠体１１の凸部１１ａに掛合し、照明器具３０が枠体１１に支持されるように構成してある。また照明器具３０を枠体１１から取外すには、反射鏡３４の開口部の支持枠３５を下方に引っ張ることにより、取外すことができる。
【００１２】
上記した埋込形照明装置において、天井材の取付孔に照明器具を掛合支持する順序について説明する。
▲１▼先ず、天井材の取付孔１２ａに、枠体１１を嵌着し、さらに操作体２２の掛合片２４を支持体１３に掛合することにより、押圧片２３で板バネ２０を押圧する。
▲２▼かかる後、照明器具本体３１と、ソケット３２と、反射鏡３４と、支持枠３５を一体的に組立て構成してなる照明器具３０を枠体１１に嵌着支持する。
【００１３】
次に店舗の改装等に際して天井材の取付孔から照明器具を取り外す作業と枠体を取り外す作業について説明する。
▲１▼照明器具３０を枠体１１から取外すには、反射鏡３４の開口部の支持枠３５を下方に引っ張ることにより、支持枠３５に形成した掛合凸部３５ａが枠体１１の凸部１１ａから外れ、容易に取外すことができる。
▲２▼かかる後、操作体２２の掛合片２４を支持体１３から取外すことにより、押圧片２３が板バネ２０から外れ、枠体１１を取外すことができる。
【００１４】
【発明の効果】
上記した請求項１に記載の発明によると、枠体と照明器具を天井面に簡単且つ確実に取付けることができ、さらに重量の大きい照明器具あるいは地震等によって大きな振動が生じたとしても、天井面と照明器具本体の下端の枠体部分との間に隙間生じることがない。さらに店舗の改装等に際して、天井面から照明器具と枠体を簡単に取り外すことができる効果がある。
【００１５】
上記した請求項１に記載の発明によると、枠体に照明器具を簡単且つ確実に支持することができる特別な効果がある。
【図面の簡単な説明】
【図１】本発明に係る埋込形照明装置の正面図。
【図２】本発明に係る埋込形照明装置の側面図。
【図３】本発明に係る埋込形照明装置の一部拡大斜視図。
【図４】枠体を天井材の取付孔に嵌入したときの断面図。
【図５】枠体を天井材の取付孔に嵌入し、操作体を立ち上げていくときの断面図。
【図６】枠体を天井材取付孔に嵌入支持したときの断面図。
【図７】従来の埋込形照明装置の側面図。
【符号の説明】
１１  枠体
１１ａ  凸部
１２  天井材
１２ａ  取付孔
１３  支持体
２０  板バネ
２１  掛合孔
２２  操作体
２３  押圧片
２４  掛合片
３０  照明器具
３１  照明器具本体
３２  ソケット
３３  光源
３４  反射鏡
３５  支持枠
【図１】
0004378802.tif 000002
【図２】
0004378802.tif 000003
【図３】
0004378802.tif 000004
【図４】
0004378802.tif 000005
【図５】
0004378802.tif 000006
【図６】
0004378802.tif 000007
【図７】
0004378802.tif 000008